(57)【要約】【課題】無線タグ情報の読取を最小限の電波放射で行ない、他の電子機器への電波障害など、環境への悪影響を避けつつ、無線タグ情報の正確な読取と物品の迅速なゲート通過を可能とさせる無線タグ交信システムなどを提供すること。【解決手段】  所定の管理区域の境界に置かれたゲートと、前記ゲートの前記管理区域の内方に設けられた進入センサと、前記ゲートの前記管理区域の外方に設けられた進出センサと、前記ゲートの側壁に保持され、前記進入センサまたは前記進出センサにより歩行者が前記ゲートに入ってきたときこの歩行者が所持する物品に付された無線タグと交信を開始する送受信器と、を備えて成る。【選択図】図１
2006276998.tif 000002
【特許請求の範囲】
【請求項１】
所定の管理区域の境界に置かれたゲートと、
前記ゲートの前記管理区域の内方に設けられた進入センサと、
前記ゲートの前記管理区域の外方に設けられた進出センサと、
前記ゲートの側壁に保持され、前記進入センサまたは前記進出センサにより歩行者が前記ゲートに入ってきたときこの歩行者が所持する物品に付された無線タグと交信を開始する送受信器と、
を備えて成ることを特徴とする無線タグ交信システム。
【請求項２】
物品に付された無線タグと交信を行なう送受信器と、
この送受信器を側壁に保持し、所定の管理区域の境界に置かれたゲートと、
前記管理区域内から前記ゲートへの歩行者の進入を検知する進入センサと、
前記ゲートから前記管理区域外への歩行者の進出を検知する進出センサとを備え、
前記歩行者が無線タグを保持する物品を所持して前記ゲートに入ってきたとき、前記進入センサによりこの歩行者の進入を検知し、前記送受信器により前記無線タグとの送受信を行ない、前記歩行者の前記ゲートの通過時に前記送受信が完了しなかったとき、前記進出センサにより前記無線タグとの送受信を行なうことを特徴とする無線タグ交信システム。
【請求項３】
所定の管理区域の境界に置かれたゲートに歩行者が無線タグを付された物品を所持して入ってきたことを進入センサにより検知するゲート進入検知ステップと、
このゲート進入検知ステップにより歩行者の進入を検知したとき前記ゲートに設けられた送受信器により前記無線タグと交信を開始する交信開始ステップと、
前記歩行者が前記ゲートを出たことを進出センサにより検知するゲート進出検知ステップと、
を有することを特徴とする無線タグ交信方法。
【発明の詳細な説明】
【技術分野】
【０００１】
本発明は、無線タグを付された物品を所持する歩行者がゲート通過するにこの無線タグと交信する無線タグ交信システムなどに関する。
【背景技術】
【０００２】
従来、物品に無線タグを付して管理区域内で管理し、その持ち出しを入退ゲートなどで監視する物品の管理システムでは、入退ゲートにおける迅速且つ、正確な無線タグ情報の読取が最大の課題であった。即ち、物品持ち出し時の迅速なゲート通過と、物品に付された無線タグの正確な情報読取という、相反する要求を満足させる必要があった。これを可能とするため、無線タグとの交信に大出力の電波を用いたり、複数の送受信アンテナを設置するなどの試みが行なわれてきた。しかしながら、これらの試みにも関わらず、上記の物品持ち出し時の迅速なゲート通過と、物品に付された無線タグの正確な情報読取は、満足のいくものにはまだ至っていない。のみならず、大出力の電波放射と送受信アンテナの複数化によって、例えば、他の電子機器への電波障害など、環境への悪影響が問題となりつつある。
【発明の開示】
【発明が解決しようとする課題】
【０００３】
本発明は上記のような従来の物品持ち出し時の迅速なゲート通過と、物品に付された無線タグの正確な情報読取という要求を満たさないばかりか、無線タグとの交信時における放出電波の環境への悪影響をももたらすという問題に鑑みてなされたもので、無線タグ情報の読取を最小限の電波放射で行ない、他の電子機器への電波障害など、環境への悪影響を避けつつ、無線タグ情報の正確な読取と物品の迅速なゲート通過を可能とさせる無線タグ交信システムなどを提供することを目的とする。
【課題を解決するための手段】
【０００４】
本発明の請求項１によれば、所定の管理区域の境界に置かれたゲートと、前記ゲートの前記管理区域の内方に設けられた進入センサと、前記ゲートの前記管理区域の外方に設けられた進出センサと、前記ゲートの側壁に保持され、前記進入センサまたは前記進出センサにより歩行者が前記ゲートに入ってきたときこの歩行者が所持する物品に付された無線タグと交信を開始する送受信器と、を備えて成ることを特徴とする無線タグ交信システムを提供する。
【０００５】
本発明の請求項２によれば、物品に付された無線タグと交信を行なう送受信器と、この送受信器を側壁に保持し、所定の管理区域の境界に置かれたゲートと、前記管理区域内から前記ゲートへの歩行者の進入を検知する進入センサと、前記ゲートから前記管理区域外への歩行者の進出を検知する進出センサとを備え、前記歩行者が無線タグを保持する物品を所持して前記ゲートに入ってきたとき、前記進入センサによりこの歩行者の進入を検知し、前記送受信器により前記無線タグとの送受信を行ない、前記歩行者の前記ゲートの通過時に前記送受信が完了しなかったとき、前記進出センサにより前記無線タグとの送受信を行なうことを特徴とする無線タグ交信システムを提供する。
【０００６】
本発明の請求項３によれば、所定の管理区域の境界に置かれたゲートに歩行者が無線タグを付された物品を所持して入ってきたことを進入センサにより検知するゲート進入検知ステップと、このゲート進入検知ステップにより歩行者の進入を検知したとき前記ゲートに設けられた送受信器により前記無線タグと交信を開始する交信開始ステップと、前記歩行者が前記ゲートを出たことを進出センサにより検知するゲート進出検知ステップと、を有することを特徴とする無線タグ交信方法を提供する。
【発明の効果】
【０００７】
本発明によれば、無線タグ情報の読取を最小限の電波放射で行ない、他の電子機器への電波障害など、環境への悪影響を避けつつ、無線タグ情報の正確な読取と物品の迅速なゲート通過を可能とさせる無線タグ交信システムなどが得られる。
【発明を実施するための最良の形態】
【０００８】
以下、本発明の実施形態について図面を用いて説明する。図１に、本発明における一実施形態の全体構成例を示す。このゲート通過制御システムは、管理区域内と管理区域外を分け、無線タグ１２の付された物品１１が通過するゲート１３と、そのゲート１３の管理区域内側に設置された進入センサ１４と、物品１１に付された無線タグ１２の情報を読取る読取アンテナ１５と、ゲート１３の管理区域外側に設置された進出センサ１６とから構成される。
【０００９】
また、図２にこの実施形態の詳細構成例を示す。ゲート１３は、進入センサ１４を用いて物品１１に付された無線タグ１２を検知する進入センサ検知部２１と、無線タグ１２の情報を読取アンテナ１５を用いて読取る無線タグ読取部２２と、進出センサ１６を用いた無線タグ１２の検知及び、その情報の読取を行なう進出センサ検知部２３と、無線タグ読み取り部２２と進出センサ検知部２３を制御して無線タグ１２の情報を読取る無線タグ情報読取制御部２４と、進入センサ検知部２１と進出センサ検知部２３を用いて、無線タグ１２の付された物品１１のゲート１３への進入を検知してその通過を監視するとともに、無線タグ読み取り部２２が読取った無線タグ１２の情報をもとに、持ち出し管理コンピュータシステムと交信し、物品１１の不正持ち出しの監視を行なうゲート通過監視部２５と、該当物品１１が不正な持ち出しの場合や、無線タグ１２の読み取りができなかった場合にブザー音などで警告するゲート警報部２６とから成る。
【００１０】
図３にこの実施形態のゲート通過制御システムの動作をフローチャートにより示す。以下、このフローチャートにしたがって処理の流れを詳細に述べる。
【００１１】
まず、ステップS３１では、ゲート通過監視部２５が進入センサ検知部２１および進出センサ検知部２３に指示し、ゲート１３に進入する物品１１の無線タグ１２を検知したか確認する。進入を検知した場合はステップS３２に進むが、検知しない場合は再度ステップS３１を実行して検知することを待つ。
【００１２】
ステップS３２では、進入を検知したのが進入センサ１４であるか、それとも進出センサ１６であるかをゲート通過監視部２５が調べる。進入検知が進入センサ１４であればステップS３３に進み、進出センサ１６であれば、物品１１の管理区域外から管理区域内への持込みであるので通過を許す。この場合、後に進入センサ１４によって当該物品１１の無線タグ１２が検知されるが無視し、通過を待って、ステップS３１に戻る。
【００１３】
ステップS３３では、ゲート通過監視部２５が無線タグ情報読取制御部２４に指示し、無線タグ１２の読取を行なわせる。この指示を受けた無線タグ情報読取制御部２４は、無線タグ読取部２２と読取アンテナ１５を用いて物品１１の無線タグ１２との交信を開始する。
【００１４】
ステップS３４では、無線タグ情報読取制御部２４が、無線タグ読取部２２と読取アンテナ１５を用いて物品１１の無線タグ１２の情報読取りまたは、書込み処理を行なう。この情報読取りまたは、書込み処理は、読取アンテナ１５が無線タグ１２と交信可能な間実行される。
【００１５】
ステップS３５では、上記ステップS３４、または、後述のステップS３８での無線タグ１２の情報の読み書き処理が正常に完了したかを確認する。処理が完了していればステップS３６に進み、完了していなければステップS３７にそれぞれ進む。
【００１６】
ステップS３６では、無線タグ情報読取制御部２４は、無線タグ読取部２２に指示し、無線タグ１２との交信を終了する。また、この交信終了をゲート通過監視部２５に通知し、ステップS３１に戻って次の物品１１のゲート１３への進入と通過を待つ。
【００１７】
ゲート通過監視部２５は、無線タグ情報読取制御部２４での無線タグ１２の情報の読み書き処理が正常に完了していれば、無線タグ情報読取制御部２４からの物品１１の無線タグ１２の情報をもとに当該物品１１の持ち出し許可の判定を持ち出し管理コンピュータシステムに依頼し、「持ち出し不可」であれば、ゲート警報部２６を用いて警告する。しかし、無線タグ情報読取制御部２４での無線タグ１２の情報の読み書き処理が未完了、つまり、「無線タグ情報の読取・書込み失敗」であれば、ゲート警報部２６を用いて警告し、再度の無線タグ１２の読み取らせを促す。
【００１８】
ステップS３７では、ステップS３４における物品１１の無線タグ１２の情報読取りまたは書込み処理が完了していないので、無線タグ情報読取制御部２４は、進出センサ検知部２３に指示して、無線タグ１２を検知しているか確認する。進出センサ検知部２３が、無線タグ１２を検知していれば、ステップS３８に、検知していなければステップS３９にそれぞれ進む。
【００１９】
ステップS３８では、無線タグ情報読取制御部２４が、進出センサ検知部２３に指示して、無線タグ１２の情報読取りまたは、書込み処理を継続させる。この情報読取りまたは、書込み処理は、進出センサ１６が無線タグ１２と交信可能な間実行され、後にステップS３５に戻る。
【００２０】
ステップS３９では、無線タグ１２の情報読取りまたは、書込み処理が完了していないが、進出センサ１６で検知できなくなったので、当該物品１１の「無線タグ情報の読取・書込み失敗」をゲート通過監視部２５に通知して、ステップS３６に進む。
【００２１】
以上述べたように、本発明のこの実施形態によれば、物品１１のゲート１３通過時に進入と進出の２つのセンサを用いて、その通過を認識して交信を開始し、無線タグ１２の読み取りを行なって、ゲート通過時に読み取りが終了していなければ進出センサ１６を用いて読み取りを継続することにより、無線タグ１２の情報を確実に読取ることができる利点がある。
【００２２】
また、無線タグ１２の読み取りが正常に完了した場合は、直ちに交信を打ち切ることにより、電波の放射を最小限に抑えられることから、他の電子機器への電波障害などや、環境への悪影響を避けられるという効果もある。
【図面の簡単な説明】
【００２３】
【図１】本発明における一実施形態の全体構成の例を示す図。
【図２】本発明における一実施形態の詳細構成例を示す図。
【図３】本発明における一実施形態の動作を説明するための図。
【符号の説明】
【００２４】
１１・・・物品、
１２・・・無線タグ、
１３・・・ゲート、
１４・・・進入センサ、
１５・・・読取アンテナ、
１６・・・進出センサ、
２１・・・進入センサ検知部、
２２・・・無線タグ読取部、
２３・・・進出センサ検知部、
２４・・・無線タグ情報読取制御部、
２５・・・ゲート通過監視部、
２６・・・ゲート警報部。
【図１】
2006276998.tif 000003
【図２】
2006276998.tif 000004
【図３】
2006276998.tif 000005